(57)【要約】      （修正有）【課題】回転角度を自由に調整でき、組み立てられる支柱部材に挿通させるだけで効率的に組み立てられ、抜け落ち等の危険もない足場用幅木の取付金具を提供する。【解決手段】板状の幅木Ｈを差し込む断面コ字状の差込溝部が各々設けられた第１の取付部Ａ１と第２の取付部Ａ２と、第１の取付部Ａ１と第２の取付部Ａ２に設けられ支柱部材Ｐ１を挿通させる筒状の連結部Ａ１ａ，Ａ２ａであるか、又は、第１の取付部Ａ１と第２の取付部Ａ２とは別体であって支柱部材Ｐ１を挿通させる筒状の連結構成部材を備え、これら筒状の連結部Ａ１ａ，Ａ２ａ又は筒状の連結構成部材を中心として、第１の取付部Ａ１と第２の取付部Ａ２とのなす角度が調整可能に構成されている。【選択図】図５
0003167967.tif 000002
【実用新案登録請求の範囲】
【請求項１】
支柱部材により組み立てられる足場に沿うように幅木が配置され、この足場用幅木を足場に取り付けるための足場用幅木の取付金具において、
板状の幅木を差し込む断面コ字状の差込溝部が各々設けられた第１の取付部と第２の取付部と、第１の取付部と第２の取付部に設けられ前記支柱部材を挿通させる筒状の連結部であるか、又は、第１の取付部と第２の取付部とは別体であって前記支柱部材を挿通させる筒状の連結構成部材を備え、これら筒状の連結部又は筒状の連結構成部材を中心として、第１の取付部と第２の取付部とのなす角度が調整自在としたことを特徴とする足場用幅木の取付金具。
【請求項２】
前記筒状の連結部は、第１の取付部に配され前記支柱部材を挿通させる第１の連結部と、第２の取付部に配され前記第１の取付部の第１の連結部を挿通させる第２の連結部から構成されていることを特徴とする請求項１記載の足場用幅木の取付金具。
【請求項３】
前記筒状の連結構成部材は、第１の取付部の第１の連結部と第２の取付部の第２の連結部とが各々異なる位置で回転可能に連結されることを特徴とする請求項２記載の足場用幅木の取付金具。
【請求項４】
前記筒状の連結部又は筒状の連結構成部材は、断面コ字状の差込溝部の中心に位置するように設けられて、組み立てられる支柱部材と支柱部材の中心に位置するように幅木が配されることを特徴とする請求項１ないし３のいずれか１項記載の足場用幅木の取付金具。
【請求項５】
前記第１の取付部と第２の取付部の連結部には、その一方に幅狭部が形成され、その他方に前記幅狭部を通過させるスリットが形成されていることを特徴とする請求項１ないし４のいずれか１項記載の足場用幅木の取付金具。
【考案の詳細な説明】
【技術分野】
【０００１】
本考案は、建設現場や工事現場などにおいて、支柱部材（パイプなど）により組み立てられる足場の周囲に沿うように幅木が配置される足場用幅木の取付金具に関する。
【背景技術】
【０００２】
建設現場や工事現場などにおいて、作業員が作業するための足場が組み立てられる。現在の足場は、支柱部材（パイプなど）により組み立てられるようになっており、支柱部材を縦横や斜めに金具を介して連結して作業現場の外周などに作業員が作業したり、作業用の道具などを置いたりするために使用される。そして、この足場には、作業者の滑り止めや工具の落下を防止するために幅木が取り付けられる傾向にある。幅木とは、床板の側面側に取り付ける部材（床からの高さが10cm〜16cm程度の帯状の板）である。
【０００３】
足場用幅木の取付金具としては、いくつかのものが特許文献として開示されているが、足場を組む場合において、足場を直線的に組み立てる場合と所定の角度を設けて組む場合があることから、これら両方に対応できるようにする足場用幅木の取付金具が必要である。これに関連して、特許文献１と特許文献２とが開示されている。
【０００４】
特許文献１は、図９に示すように、支柱（２６）に通される上下一対のリング（３）の各々に、巾木（１）の上縁または下縁に掛合する鈎（５）を対向する格好で固定した工事用巾木の取付金具である。また、一本の支柱に通した上下２対の金具で、互いに直角に交わる２枚の巾木を支持するために、最上段および最下段の金具（２、２）は鈎（５）を短く、残り２つの金具（２ａ、２ａ）の鈎（５ａ）は長く形成した請求項１に記載の工事用巾木の取付金具である。
特許文献２は、図１０に示すように、足場の少なくとも周縁開放部に沿って幅木（５）を取り付けるための幅木取付金具（２０）において、該幅木取付金具は、金具本体と、前記金具本体の背面側に設けられ、足場を構成する柱部材（２）の周面に着脱自在に取付けられる弾性変形可能な帯状挟持部材（２２）と、前記金具本体の両側に配置され、それぞれ外側及び上側に向けて開放した幅木差込溝を有する幅木差込部材（２３）とからなり、幅木差込部材（２３）は水平面内で回動自在なように金具本体に軸着されてなることを特徴とする足場用の幅木取付金具である。
【先行技術文献】
【特許文献】
【０００５】
【特許文献１】特開平１０−３７４５０号公報
【特許文献２】特許第３７７７１９０号公報
【考案の概要】
【考案が解決しようとする課題】
【０００６】
しかしながら、上記特許文献１の取付金具では、支柱（支柱部材）に通される上下一対のリング（３）の各々に巾木（１）の上縁または下縁に掛合する鈎（５）を対向する格好で固定することから、取付作業が効率的とは言えないばかりか、一方の幅木と他方の幅木とを同じ高さで連結できないおそれがある。一本の支柱に通した上下２対の金具で、互いに直角に交わる２枚の巾木を支持するためには、４つの金具を使用して、最上段および最下段の金具（２、２）は鈎（５）を短く、残り２つの金具（２ａ、２ａ）の鈎（５ａ）は長く形成したものを使用するが、その向きを揃えなければ、幅木を差し込むことができないものである。また、足場を直線的に組む場合でも、一つの支柱（支柱部材）に対して上下一対のリング（３）を取り付けるため、高さを揃えることができない問題も有する。さらに、上記特許文献１では、支柱（支柱部材）の外側に幅木が配されるようになるので、床板と幅木との隙間が生じて、この隙間から作業道具が落下するおそれを有する。
他方、上記特許文献２の取付金具では、金具本体の背面側に弾性変形可能な帯状狭持部材が突出するように設けられているために、足場をできるだけ建築物に近づけることができなくなる問題や、取付金具同士の角度が９０度（コーナー部での使用）から１８０度（直線的な組み立て）の範囲でしか使用できないもので、それ以上の角度では使用できない問題を有する。また、弾性変形可能な帯状狭持部材は、組み立てられる支柱部材に対して着脱できる利点を有するが、容易に変形して支柱部材が外れる恐れを有する。このために、締め付け部材を有するが、これでは、支柱部材に帯状狭持部材を取り付けてから締め付ける作業が必要になり、組み立て作業を簡易迅速に行なうことに支障が生じる。
【０００７】
また、労働安全衛生規則（足場等関係）が改正され（平成２１年６月１日から施行）、改正前には、高さ７５センチメートル以上の手すり等を設けなければならないとされ、わく組足場の交さ筋かいは手すり等としてみなされていたが、上記改正により、足場の種類に応じて、次の設備を設けることが義務付けられた。すなわち、わく組足場の場合は、「交さ筋かい」に加え、「高さ１５センチメートル以上４０センチメートル以下の位置への下さん」か、又は、「高さ１５センチメートル以上の幅木の設置」（下さん等）が要求されるようになった。しかし他方、工事現場では、上記要求を満たしつつも、足場を早急に組み立てる必要があるが、上記従来公報のものでは、素早く組み立てることには問題があると言わざるを得なかった。
【０００８】
そこで本考案の目的は、取付金具同士の回転角度を自由に調整でき、組み立てられる支柱部材に挿通させるだけで効率的に組み立てられ、幅木の抜け落ち等の危険もない足場用幅木の取付金具を提供することにある。
【課題を解決するための手段】
【０００９】
本考案の足場用幅木の取付金具は、支柱部材により組み立てられる足場に沿うように幅木が配置され、この足場用幅木を足場に取り付けるための足場用幅木の取付金具において、板状の幅木を差し込む断面コ字状の差込溝部が各々設けられた第１の取付部と第２の取付部と、第１の取付部と第２の取付部に設けられ前記支柱部材を挿通させる筒状の連結部であるか、又は、第１の取付部と第２の取付部とは別体であって前記支柱部材を挿通させる筒状の連結部材を備え、これら筒状の連結部又は筒状の連結構成部材を中心として、第１の取付部と第２の取付部とのなす角度が調整自在としたことを特徴とする。
【００１０】
本考案によれば、前記支柱部材を挿通させる筒状の連結部又は筒状の連結構成部材を介して連結され、必ず左右一対で使用されるので、一の幅木と他の幅木を同時に差し込む状態にでき、片方の取付部を誤って落下させるようなことはない。そして、筒状の連結部又は筒状の連結構成部材を中心とし第１の取付部と第２の取付部とのなす角度が調整自在としたことから、第１の取付部と第２の取付部を直角の角度（９０度）に回転させたり、１８０度の第１の取付部と第２の取付部を直線状に配したり、さらには３４０度近くまで回転させることもできる。
なお、幅木はコ字状の差込溝部に差し込むことができるので、容易に取り付けられ、容易に取り外すことができる。
【００１１】
本考案としては、前記筒状の連結部は、第１の取付部に配され前記支柱部材を挿通させる第１の連結部と、第２の取付部に配され第１の連結部を挿通する第２の連結部から構成され、これにより第１の取付部と第２の取付部とを連結することが好ましい。
本考案によれば、第１の取付部と第２の取付部のみで連結して組み立てられ、回転可能に使用できる。
【００１２】
本考案としては、前記筒状の連結構成部材は、第１の取付部の第１の連結部と第２の取付部の第２の連結部とが各々異なる位置で回転可能に連結されることが好ましい。
本考案によれば、上記連結部同士が互いに擦れ合うようなことを防止できる。
また、第１の取付部の第１の連結部と第２の取付部の第２の連結部と回転可能に連結されていることから、足場の支柱部材と直接接触しないことになり、例えば支柱部材にさびや泥などが付着していても、これらの影響を受けずに回転角度を調整できる。
【００１３】
本考案としては、前記連結部は、断面コ字状の差込溝部の中心に位置するように設けられて、組み立てられる支柱部材と支柱部材の中心に位置するように幅木が配されることが好ましい。
本考案によれば、取り付けられる幅木の位置が床板から遠くなることがなくなるとともに、足場を建築物等に近づけることができるようになる。第１の取付部と第２の取付部を９０度のコーナー部に沿うように角度変更可能するとともに、足場の床板上を歩くときにも、足場用幅木の取付金具が支障になることがなく、連結部が突出するような足場用幅木の取付金具にはならない。
【００１４】
本考案としては、第１の取付部と第２の取付部の連結部には、その一方に幅狭部が形成され、その他方に前記幅狭部を通過させるスリットが形成されていることが好ましい。
本考案によれば、幅狭部にスリットを通過させると、連結し易くなる。また、幅狭部にスリットを通過させた後、前記第１の取付部と第２の取付部を連結部を介して所定角度回転させると、第１の取付部と第２の取付部の一方が幅狭部に当接して、ロック状態になると共に、第１の取付部と第２の取付部の互いの高さ位置を調整することができる。
なお、前記第１の取付部と第２の取付部の連結部、又は、前記前記筒状の連結構成部材に台座ベースを備え、抜け落ちないようにすることも可能である。
【考案の効果】
【００１５】
本考案によれば、前記支柱部材を挿通させる筒状の連結部又は筒状の連結構成部材を介して連結され、第１の取付部と第２の取付部は略３４０度の角度調整が可能である。また、前記連結部又は筒状の連結構成部材は、断面コ字状の差込溝部の中心に位置するように設けられて、組み立てられる支柱部材と支柱部材の中心に位置するように幅木が配されることにより、床板との距離や建物等の工事現場との距離を適切な距離を保って組み立てられる。すなわち、建築物等に近づけることができ、足場の床板との距離が離れすぎるようなことがなく、床板を歩くときにも、足場用幅木の取付金具が支障になることがない。
【図面の簡単な説明】
【００１６】
【図１】本考案の第１の実施の形態の足場用幅木の取付金具の例を示す分解斜視図である。
【図２】上記実施の形態の足場用幅木の取付金具の組み合わせ状態の斜視図である。
【図３】上記足場用幅木の取付金具の角度調整の例を示す平面図である。
【図４】上記足場用幅木の取付金具の角度調整の例を示す平面図である。
【図５】上記実施の形態の足場を組み立てた状態の斜視図である。
【図６】上記実施の形態の足場を組み立てた状態の斜視図である。
【図７】本考案の第２の実施の形態の足場用幅木の取付金具の例を示す斜視図である。
【図８】本考案の第３の実施の形態の足場用幅木の取付金具の例を示す斜視図である。
【図９】従来の足場用幅木の取付金具を使用して足場を組み立てた状態を示す斜視図である。
【図１０】従来の足場用幅木の取付金具を使用して足場を組み立てた状態を示す斜視図である。
【考案を実施するための形態】
【００１７】
以下、本考案を適用した足場用幅木の取付金具の実施形態について、図面を参照しながら詳細に説明する。
図１は本考案を適用した足場用幅木の取付金具を示す分解斜視図であり、図２は組み立てた状態の斜視図であり、図３と図４は角度調整する場合の斜視図である。
【００１８】
本実施の形態の足場用幅木の取付金具１は、板状の第１の取付部Ａ１と第２の取付部Ａ２を備え、これら一対の第１と第２の取付部Ａ１，Ａ２として使用される。第１の取付部Ａ１と第２の取付部Ａ２がほぼ２０度ほぼ３４０度回転可能である。図５と図６のように、足場Ｐでは、９０度のコーナ部と、１８０度回転させて使用する直線状に形成される。新しい労働安全衛生規則（足場等関係）に適合したものである。
【００１９】
足場Ｐは、支柱部材（パイプ）Ｐ１を使用して組み立てられ、縦方向に連結状態に置かれる縦支柱部材Ｐ１と横支柱部材（図示せず）により組みたてられ、横パイプＰ１と横支柱部材には床板ＵがＵ字状の引掛具を介して引っ掛けられる。これらの連結には連結ピンが縦パイプＰ１に入れられて、この連結ピンを介して連結される。なお、縦パイプＰ１と縦パイプＰ１の間には互いに斜めの補強部材（図示せず）が取り付けられている。
【００２０】
本実施の形態の足場用幅木の取付金具１は、第１の取付部Ａ１と第２の取付部Ａ２が互いの連結部Ａ１ａ，Ａ２ａを介して連結された状態で使用される。すなわち、上記足場Ｐの４本の縦支柱部材Ｐ１の位置で使用され、図５に示す例では、第１の取付部Ａ１と第２の取付部Ａ２とを１８０度回転させた直線状にして使用される。図４に示す例では、第１の幅木Ｈは、床板Ｕの長手方向に沿って対向して配されると共に、第２の幅木は、床板Ｕの短手方向に沿って対向して配される。したがって、床板Ｕの四周は、幅木Ｈにより囲まれるようなる（図５、図６）。
【００２１】
第１の取付部Ａ１と第２の取付部Ａ２は、断面コ字状の差込溝部４が各々設けられた所定の厚みを有する板状である。断面がコ字状の差込溝部４が上方側から一端側面側に開口して設けられ、一端部側と上方側との間にはアールが形成されている。したがって、帯状の幅木Ｈを上方から差し込むだけで固定できるようになっている。本実施の形態では、幅木Ｈの取付にネジやナットを使用しないが、ネジ等で取り付けることも可能である。また、図２に示すように、幅木Ｈの飛び出しを防止するためのストッパを挿入する貫通穴Ｋを設けても良い。
【００２２】
上記連結部Ａ１ａ，Ａ２ａは、縦パイプＰ１を挿通させる第２の連結部Ａ２ａと、第２の取付部Ａ２を挿通させる第１の連結部Ａ１ａから構成され、これにより第１の取付部Ａ１と第２の取付部Ａ２とを連結すると、第１の取付部Ａ１と第２の取付部Ａ２が互いに回転可能になる。上記第１の取付部Ａ１の第１の連結部Ａ１ａは、第１の取付部Ａ１とは別に製作しておき、第２の取付部Ａ２と連結させた後に溶接により第１の取付部Ａ１と連結させても良い。前記第１の取付部１Ａと第２の取付部２から縦パイプＰ１を外すと、前記板状の第１の取付部Ａ１と第２の取付部Ａ２に分解されるものでも良い。このように分解可能にすると、板状の第１の取付部Ａ１と第２の取付部Ａ２とは、重ねるように収納管理することができる。
また、板状の第１の取付部Ａ１と第２の取付部Ａ２の底部の位置Ｆ１と各連結部Ａ１ａ，Ａ２ａの底部の位置Ｆ２とは同じ位置になっており、これにより幅木Ｈ１を低い姿勢ではめ込むことができ、床板Ｕとの間に隙間が生じないようにされている。
【００２３】
第２の取付部Ａ２の第２の連結部Ａ２ａには、幅狭部２が形成されている。細狭部２は、断面コ字状の第１の取付部Ａ１の中央に設けられている。この幅狭部２は、第２の連結部Ａ２ａと第２の取付部Ａ２との調節による連結によるものでも良い。他方、第１の取付部Ａ１の連結部Ａ２ａにはスリットＳが形成されている。上記スリットＳは、第１の取付部Ａ１の連結部Ａ１ａの２箇所において同じ位置に形成されている。なお、上記スリットＳは、第１の取付部Ａ１と第２の取付部Ａ２とを９０度の位置と１８０度の位置にならない位置に設けられ、組み立てて使用したときに外れないようにしている（図５、図６）。したがって、スリットＳを幅狭部２に通過させることで、第１の取付部Ａ１の連結部Ａ１ａと第２の取付部Ａ２の連結部Ａ２ａとを連結し易いようにしている。また、上記スリットＳを通過させた後、第１の取付部Ａ１と第２の取付部Ａ２を連結部Ａ１ａ，Ａ２ａを介して所定角度回転させると、第１の取付部Ａ１と第２の取付部Ａ２の一方が幅狭部２に当接して、ロック状態になると共に、第１の取付部Ａ１と第２の取付部Ａ２の互いの高さ位置が決定する。
また、第１の取付部Ａ１には、仕切り部材３が配されることで、細狭部２を有する第２の取付部Ａ２と同じ奥行きまで幅木Ｈが差し込まれるようになっている。
なお、第１の連結部Ａ２ａと第２の連結部Ａ２ａに後述する抜け落ち防止の台座ベースＢを設けたり（図７）、第２の連結部Ａ２ａの外周に第１の連結部Ａ２ａと係止する突起部を設けても良い。
【００２４】
次に、本実施の形態の足場用幅木の取付金具１を実際に使用する場合について説明する。
本実施の形態の足場用幅木の取付金具１は、前記縦支柱部材Ｐ１を挿通させる筒状の連結部を介して連結され、必ず対で使用されるもので、これにより、片側が脱落するようなはなくしている。そして、縦パイプＰ１を連結するたびに一つの構成部材の本実施の形態の足場用幅木の取付金具１を取り付ける。このように取り付けていくと、第１の取付部Ａ１と第２の取付部Ａ２に各々足場用幅木Ｈを取り付け可能な状態になる。
本実施の形態の足場用幅木の取付金具１は、足場Ｐの４本の縦パイプＰ１の位置で使用され、９０度に第１の取付部Ａ１と第２の取付部Ａ２の角度θが変更可能であり、第１の取付部Ａ１と第２の取付部Ａ２とを１８０度回転させた直線状にして使用される。回転すると略３４０度にも角度θが回転可能である。前記連結部Ａ１ａ，Ａ２ａは、断面コ字状の差込溝部４の中心に位置するように設けられて（図４の符号Ｏが連結部の中心であり、該中心Ｏを中心に設計されている。）、組み立てられ、上記中心Ｏに位置するように幅木Ｈが配される。したがって、足場Ｐを建築物の近くに組み立てることが出来ると共に、床板Ｕとの間にも隙間が生じ難くなる。
【００２５】
次に、本実施の形態の応用例を説明する。
図７に示す足場用幅木の取付金具１１は、縦支柱部材Ｐ１に挿通させる筒状の連結構成部材Ｂを構成要件に加えている。すなわち、下方に台座ベースＢａを有して、その上方部分に第１の取付部Ａ１１と第２の取付部Ａ１２の連結部Ａ１１ａ，Ａ１２ａが高さ位置を異ならせて挿通されるようになっている。
【００２６】
したがって、この応用例によれば、前記実施の形態の連結部Ａ１ａ，Ａ２ａ同士のように擦れ合うようなことがない。また、上記台座ベースＢａにより抜け落ちる事態も防止している。また、板状の第１の取付部Ａ１と第２の取付部Ａ２の底部の位置Ｆ１と筒状の連結構成部材Ｂの台座ベースＢａの底部の位置Ｆ３とはほぼ同じ位置になっており、これにより幅木Ｈを低い姿勢ではめ込むことができ、床板Ｕとの間に隙間が生じないようにされている。
図８に示す足場用幅木の取付金具２１は、第１の取付部Ａ２１の第１の連結部Ａ２１ａと第２の取付部Ａ２２の第２の連結部Ａ２２ａが各々縦パイプＰ１に直接挿入されるものである。
なお、図７と図８に示すように、前記第１の取付部Ａ１から第２の取付部Ａ２を外し、第１の取付部Ａ１を前記縦支柱部材Ｐ１から外すと、前記板状の第１の取付部Ａ１と第２の取付部Ａ２に分解される構造にすることも可能である。また、図７と図８の例でも、上記細狭部２やスリットＳが形成されるものでも良い。
【００２７】
以上、本考案を適用した実施形態について説明したが、本考案がこの実施形態に限定されるものでないことは言うまでもない。例えば、第１の取付部Ａ１と第２の取付部Ａ２は逆であっても良く、又、第１の取付部Ａ１と第２の取付部Ａ２の幅木を入れやすくするためのアール形状等も本願実施例に限定されるものではない。また、第１の連結部Ａ２ａ，Ａ２１a，Ａ２２aと第２の連結部Ａ２ａ，Ａ２１a，Ａ２２aや連結構成部材Ｂの下部側に横支柱部材（横パイプ）と係止する形状に合わせたりしても良い。
【符号の説明】
【００２８】
１，１１，２１        足場用幅木の取付金具、
２            細狭部、
３            仕切り部材、
４            差込溝部、
Ａ１，Ａ１１，Ａ１２      第１の取付部、
Ａ２，Ａ２１，Ａ２２      第２の取付部、
Ａ１ａ，Ａ１１a，Ａ１２a    第１の連結部、
Ａ２ａ，Ａ２１a，Ａ２２a    第２の連結部、
Ｂ            連結構成部材、
Ｈ            幅木、
Ｏ            断面コ字状の差込溝部の中心（支柱部材の中心）、
Ｐ            足場、
Ｐ１          縦支柱部材（縦パイプ）、
Ｓ            スリット、
Ｕ            床板、
θ            第１の取付部と第２の取付部とのなす角度
【図１】
0003167967.tif 000003
【図２】
0003167967.tif 000004
【図３】
0003167967.tif 000005
【図４】
0003167967.tif 000006
【図５】
0003167967.tif 000007
【図６】
0003167967.tif 000008
【図７】
0003167967.tif 000009
【図８】
0003167967.tif 000010
【図９】
0003167967.tif 000011
【図１０】
0003167967.tif 000012